(57)【要約】【課題】  本発明は、入室管理システム、携帯端末、ホスト装置及び入室管理方法に関し、例えば住宅の開錠の管理に適用して、指紋等の重要な個人情報を使用することなく、十分なセキュリティーを確保することができるようにする。【解決手段】  本発明は、位置情報により検出される管理対象への外部からの到来をトリガにして、現在位置の位置情報とユーザーの所望する被写体の撮像結果とにより鍵情報を生成してドアの開錠を要求し、この鍵情報を用いた照合により撮像結果と事前に登録した撮像結果とが一致した場合に開錠する。【選択図】        図１
2006193884.tif 000002
【特許請求の範囲】
【請求項１】
ドアの開錠を要求する携帯端末と、前記開錠の要求により前記ドアを開錠するホスト装置とによる入室管理システムにおいて、
前記携帯端末は、
ユーザーの所望する被写体を撮像して撮像結果を出力する撮像手段と、
現在位置を検出して位置情報を出力する現在位置検出手段と、
前記位置情報を記録する記憶手段と、
前記ホスト装置との通信手段とを有し、
前記現在位置検出手段により検出される現在位置の位置情報と、前記記憶手段に記録された前記位置情報の過去の記録とから、外部から前記ドアが設けられた場所への到着を検出した場合に、
前記撮像手段により取得したユーザーの所望する被写体の撮像結果と、前記現在位置の位置情報とを処理して前記ドアの開錠に供する鍵情報を生成し、該生成した鍵情報を前記ホスト装置に送出し、
前記ホスト装置は、
前記携帯端末より送出された前記鍵情報を事前の登録に係る情報と照合し、
前記ユーザーの所望する被写体の撮像結果が、事前に登録された登録済みの撮像結果と一致した場合に前記ドアを開錠する
ことを特徴とする入室管理システム。
【請求項２】
前記携帯端末は、
前記ドアが設けられた場所への到着の検出により、前記撮像手段を起動する
ことを特徴とする請求項１に記載の入室管理システム。
【請求項３】
前記携帯端末は、
事前に、ユーザーによる操作子の操作に応動して、前記撮像手段により取得したユーザーの所望する被写体の撮像結果と、前記現在位置の位置情報とを処理して前記事前の登録に係る情報を生成し、該生成した事前の登録に係る情報を前記ホスト装置に送出し、
前記ホスト装置は、
前記携帯端末から送出される前記事前の登録に係る情報を記憶手段に記録して保持し、前記鍵情報の照合に供する
ことを特徴とする請求項１に記載の入室管理システム。
【請求項４】
ドアの開錠を要求する携帯端末と、前記携帯端末からの前記開錠の要求により前記ドアを開錠するホスト装置とによる入室管理システムに適用される前記携帯端末において、
前記ホスト装置は、
前記携帯端末より送出された鍵情報を事前の登録に係る情報と照合し、
前記鍵情報により検出される撮像結果が、事前に登録された登録済みの撮像結果と一致した場合に前記ドアを開錠し、
前記携帯端末は、
ユーザーの所望する被写体を撮像して撮像結果を出力する撮像手段と、
現在位置を検出して位置情報を出力する現在位置検出手段と、
前記位置情報を記録する記憶手段と、
前記ホスト装置との通信手段とを有し、
前記現在位置検出手段により検出される現在位置の位置情報と、前記記憶手段に記録された前記位置情報の過去の記録とから、外部から前記ドアが設けられた場所への到着を検出した場合に、
前記撮像手段により取得したユーザーの所望する被写体の撮像結果と、前記現在位置の位置情報とを処理して前記ドアの開錠に供する鍵情報を生成し、該生成した鍵情報を前記ホスト装置に送出する
ことを特徴とする携帯端末。
【請求項５】
ドアの開錠を要求する携帯端末と、前記携帯端末からの前記開錠の要求により前記ドアを開錠するホスト装置とによる入室管理システムに適用される前記ホスト装置において、
前記携帯端末は、
現在位置検出手段により検出される現在位置の位置情報と、前記位置情報の過去の記録とから、外部から前記ドアが設けられた場所への到着を検出した場合に、
撮像手段により取得したユーザーの所望する被写体の撮像結果と、前記現在位置の位置情報とを処理して前記ドアの開錠に供する鍵情報を生成し、該生成した鍵情報を前記ホスト装置に送出し、
前記ホスト装置は、
前記携帯端末より送出された前記鍵情報を事前の登録に係る情報と照合し、前記ユーザーの所望する被写体の撮像結果が、事前に登録された登録済みの撮像結果と一致した場合に前記ドアを開錠する
ことを特徴とするホスト装置。
【請求項６】
ドアの開錠を要求する携帯端末と、前記携帯端末からの前記開錠の要求により前記ドアを開錠するホスト装置とによる入室管理方法において、
前記携帯端末により、
現在位置検出手段により検出される現在位置の位置情報と、前記位置情報の過去の記録とから、外部から前記ドアが設けられた場所への到着を検出した場合に、
撮像手段により取得したユーザーの所望する被写体の撮像結果と、前記現在位置の位置情報とを処理して前記ドアの開錠に供する鍵情報を生成し、該生成した鍵情報を前記ホスト装置に送出し、
前記ホスト装置により、
前記携帯端末より送出された前記鍵情報を事前の登録に係る情報と照合し、前記ユーザーの所望する被写体の撮像結果が、事前に登録された登録済みの撮像結果と一致した場合に前記ドアを開錠する
ことを特徴とする入室管理方法。
【発明の詳細な説明】
【技術分野】
【０００１】
本発明は、入室管理システム、携帯端末、ホスト装置及び入室管理方法に関し、例えば住宅の開錠の管理に適用することができる。本発明は、位置情報により検出される管理対象のドアへの外部からの到来をトリガにして、現在位置の位置情報とユーザーの所望する被写体の撮像結果とにより鍵情報を生成してドアの開錠を要求し、この鍵情報を用いた照合により撮像結果と事前に登録した撮像結果とが一致した場合に開錠することにより、指紋等の重要な個人情報を使用することなく、十分なセキュリティーを確保することができるようにする。
【背景技術】
【０００２】
一般に、住宅等のドアの開錠については、鍵を鍵穴に差し込んで操作するようになされている。しかしながらこのような鍵による開錠は、鍵の盗難等に対して十分なセキュリティーを確保することが困難な欠点があり、このため近年、種々の工夫が提案されている。
【０００３】
これらのうち、生体認証による方法は、特開２００３−２８１０９９号公報等に提案されており、指紋認証、静脈認証、顔認証等によりユーザー認証の処理を実行し、このユーザー認証結果により開錠するものである。またＩＣカード、携帯電話等の端末装置を用いる方法は、ＩＣカードの記録、携帯電話番号等による個人情報によりユーザー認証の処理を実行し、このユーザー認証結果により開錠するものである。
【０００４】
しかしながら生体認証による方法は、重要な個人情報である指紋等の情報を、事前に登録しなければならない問題がある。これに対してＩＣカードの記録、携帯電話番号等によるユーザー認証による方法にあっては、鍵の場合と同様に、ＩＣカード、携帯電話等の盗難に対して十分なセキュリティーを確保することが困難な問題がある。
【特許文献１】特開２００３−２８１０９９号公報
【発明の開示】
【発明が解決しようとする課題】
【０００５】
本発明は以上の点を考慮してなされたもので、指紋等の重要な個人情報を使用することなく、十分なセキュリティーを確保することができる入室管理システム、携帯端末、ホスト装置及び入室管理方法を提案しようとするものである。
【課題を解決するための手段】
【０００６】
かかる課題を解決するため請求項１の発明においては、ドアの開錠を要求する携帯端末と、前記開錠の要求により前記ドアを開錠するホスト装置とによる入室管理システムに適用して、前記携帯端末は、ユーザーの所望する被写体を撮像して撮像結果を出力する撮像手段と、現在位置を検出して位置情報を出力する現在位置検出手段と、前記記憶手段に記録された前記位置情報を記録する記憶手段と、前記ホスト装置との通信手段とを有し、前記現在位置検出手段により検出される現在位置の位置情報と、前記位置情報の過去の記録とから、外部から前記ドアが設けられた場所への到着を検出した場合に、前記撮像手段により取得したユーザーの所望する被写体の撮像結果と、前記現在位置の位置情報とを処理して前記ドアの開錠に供する鍵情報を生成し、該生成した鍵情報を前記ホスト装置に送出し、前記ホスト装置は、前記携帯端末より送出された前記鍵情報を事前の登録に係る情報と照合し、前記ユーザーの所望する被写体の撮像結果が、事前に登録された登録済みの撮像結果と一致した場合に前記ドアを開錠する。
【０００７】
また請求項４の発明においては、ドアの開錠を要求する携帯端末と、前記携帯端末からの前記開錠の要求により前記ドアを開錠するホスト装置とによる入室管理システムに適用される前記携帯端末に適用して、前記ホスト装置は、前記携帯端末より送出された鍵情報を事前の登録に係る情報と照合し、前記鍵情報により検出される撮像結果が、事前に登録された登録済みの撮像結果と一致した場合に前記ドアを開錠し、前記端末装置は、ユーザーの所望する被写体を撮像して撮像結果を出力する撮像手段と、現在位置を検出して位置情報を出力する現在位置検出手段と、前記記憶手段に記録された前記位置情報を記録する記憶手段と、前記ホスト装置との通信手段とを有し、前記現在位置検出手段により検出される現在位置の位置情報と、前記位置情報の過去の記録とから、外部から前記ドアが設けられた場所への到着を検出した場合に、前記撮像手段により取得したユーザーの所望する被写体の撮像結果と、前記現在位置の位置情報とを処理して前記ドアの開錠に供する鍵情報を生成し、該生成した鍵情報を前記ホスト装置に送出する。
【０００８】
また請求項５の発明においては、ドアの開錠を要求する携帯端末と、前記携帯端末からの前記開錠の要求により前記ドアを開錠するホスト装置とによる入室管理システムに適用されるホスト装置に適用して、前記携帯端末は、現在位置検出手段により検出される現在位置の位置情報と、前記位置情報の過去の記録とから、外部から前記ドアが設けられた場所への到着を検出した場合に、撮像手段により取得したユーザーの所望する被写体の撮像結果と、前記現在位置の位置情報とを処理して前記ドアの開錠に供する鍵情報を生成し、該生成した鍵情報を前記ホスト装置に送出し、前記ホスト装置は、前記携帯端末より送出された前記鍵情報を事前の登録に係る情報と照合し、前記ユーザーの所望する被写体の撮像結果が、事前に登録された登録済みの撮像結果と一致した場合に前記ドアを開錠する。
【０００９】
また請求項６の発明においては、ドアの開錠を要求する携帯端末と、前記携帯端末からの前記開錠の要求により前記ドアを開錠するホスト装置とによる入室管理方法に適用して、前記携帯端末により、現在位置検出手段により検出される現在位置の位置情報と、前記位置情報の過去の記録とから、外部から前記ドアが設けられた場所への到着を検出した場合に、撮像手段により取得したユーザーの所望する被写体の撮像結果と、前記現在位置の位置情報とを処理して前記ドアの開錠に供する鍵情報を生成し、該生成した鍵情報を前記ホスト装置に送出し、前記ホスト装置により、前記携帯端末より送出された前記鍵情報を事前の登録に係る情報と照合し、前記ユーザーの所望する被写体の撮像結果が、事前に登録された登録済みの撮像結果と一致した場合に前記ドアを開錠する。
【００１０】
請求項１の構成により、ドアの開錠を要求する携帯端末と、前記開錠の要求により前記ドアを開錠するホスト装置とによる入室管理システムに適用して、前記携帯端末は、ユーザーの所望する被写体を撮像して撮像結果を出力する撮像手段と、現在位置を検出して位置情報を出力する現在位置検出手段と、前記位置情報を記録する記憶手段と、前記ホスト装置との通信手段とを有し、前記現在位置検出手段により検出される現在位置の位置情報と、前記記憶手段に記録された前記位置情報の過去の記録とから、外部から前記ドアが設けられた場所への到着を検出した場合に、前記撮像手段により取得したユーザーの所望する被写体の撮像結果と、前記現在位置の位置情報とを処理して前記ドアの開錠に供する鍵情報を生成し、該生成した鍵情報を前記ホスト装置に送出し、前記ホスト装置は、前記携帯端末より送出された前記鍵情報を事前の登録に係る情報と照合し、前記ユーザーの所望する被写体の撮像結果が、事前に登録された登録済みの撮像結果と一致した場合に前記ドアを開錠すれば、ユーザー個人しか知り得ない所望する被写体の撮像結果と現在位置の位置情報により開錠することができ、また盗難された場合にも、第３者による開錠を防止することができる。これにより重要な個人情報である指紋等の個人情報を事前に登録しなくても、十分なセキュリティーを確保することができる。
【発明の効果】
【００１１】
本発明によれば、指紋等の重要な個人情報を使用することなく、十分なセキュリティーを確保することができる。
【発明を実施するための最良の形態】
【００１２】
以下、適宜図面を参照しながら本発明の実施例を詳述する。
【実施例１】
【００１３】
（１）実施例の構成
図２は、本発明の実施例に係る入室管理システムを示すブロック図である。この入室管理システム１は、携帯端末２から送信される鍵情報Ｄ１をホスト装置３により認証し、その認証結果によりドアを開錠する。
【００１４】
ここで携帯端末２は、現在位置検出機能、電子スチルカメラの機能、近距離の通信機能を有する情報端末装置であり、例えばこれらの機能を有する携帯電話、ＰＤＡ（Personal Digital Assistants ）等であり、ユーザーの操作に応動して開錠に必要な鍵情報Ｄ１を送信する。
【００１５】
すなわち携帯端末２において、表示部４は、例えば液晶表示パネルであり、この携帯端末２の操作に必要な各種の情報を表示し、表示ドライバ５は、制御部６の制御によりこの表示部４を駆動する。
【００１６】
操作部８は、この携帯端末２の操作パネルに設けられた各種操作子により形成され、これら操作子の操作を図示しないインターフェースを介して制御部６に通知する。
【００１７】
ＧＰＳ部９は、現在位置の位置情報を検出する現在位置検出手段であり、ＧＰＳ（Global Positioning System ）により現在位置の位置情報を検出して制御部６に通知する。
【００１８】
記憶部７は、制御部６の制御により、ログ情報を記録して保持し、またこの保持したログ情報を制御部６に出力する。ここでログ情報は、この携帯端末２より鍵情報Ｄ１を送出して開錠する開錠位置の位置情報と、この携帯端末２を携帯するユーザーの、開錠位置を中心とした一定範囲の移動の情報が記録される。なおここでこの移動の情報は、ＧＰＳ部９により取得される一定の時間間隔による位置情報により形成され、また開錠位置の位置情報においては、ＧＰＳ部９により取得される鍵情報Ｄ１を事前に登録した位置情報により形成される。
【００１９】
ディジタルカメラ１０は、制御部６の制御により、静止画による撮像結果を取得する。
【００２０】
画像処理部１１は、制御部６の制御により、このディジタルカメラ１０により取得された静止画を取得して輪郭抽出の処理を実行する。また制御部６の制御により、輪郭抽出結果を形状認識処理し、これにより撮像結果の輪郭抽出結果から一部領域を抽出し、この抽出した領域による画像データを制御部６に出力する。なおここでこの一部領域の抽出にあっては、後述する鍵情報Ｄ１の登録時と、開錠に係る処理時とで、撮像結果における倍率の相違等を補正するために実行され、これにより例えば撮像結果における特徴ある部位を検出し、この部位を基準にして一定の領域を切り出すことにより実行される。
【００２１】
無線通信部１２は、例えばＢｌｕｅｔｏｏｔｈ等による近距離の無線通信手段であり、制御部６の制御によりアンテナ１３を介して各種の情報を送出する。なおこの無線通信手段にあっては、赤外線等を使用することも可能である。
【００２２】
制御部６は、演算処理手段であり、所定の処理プログラムの実行によりこの携帯端末２全体の動作を制御する。すなわち制御部６は、ユーザーによる操作部８の操作により、各種メニューを表示部４に表示し、メニューの選択を受け付ける。またこのメニューの選択によりユーザーが開錠箇所の登録メニューを選択すると、図３に示す登録処理手順を実行し、ホスト装置３に鍵情報Ｄ１を登録する。
【００２３】
すなわち制御部６は、この処理手順を開始すると、ステップＳＰ１からステップＳＰ２に移り、ＧＰＳ部９の制御により現在位置の位置情報を取得する。これにより制御部６は、例えばこの入室管理システム１を自宅のドアの開閉に適用して、このドアの開錠について鍵情報を登録する場合、この自宅の位置情報を取得する。
【００２４】
続いて制御部６は、ステップＳＰ３に移り、ここでディジタルカメラ１０の動作を立ち上げ、鍵情報の生成基準となる画像の取得を促すメッセージを表示部４に表示する。またユーザーによる操作部８の操作に応動してディジタルカメラ１０の動作を制御し、静止画による撮像結果を取得する。
【００２５】
続いて制御部６は、ステップＳＰ４に移り、画像処理部１１の制御により、ステップＳＰ３で取得した静止画による撮像結果を輪郭抽出処理する。また続くステップＳＰ５において、同様の画像処理部１１の制御により、輪郭抽出結果を形状認識処理し、撮像結果の輪郭抽出結果から鍵情報Ｄ１の生成に供する一部領域を抽出する。
【００２６】
制御部６は、続くステップＳＰ６において、この抽出した一部領域を、確認を促すメッセージと共に表示部４に表示し、続くステップＳＰ７において、ユーザーによる操作部８の操作を判定してユーザーにより確認が得られたか否か判断する。
【００２７】
ここでユーザーにより確認が得られない場合、制御部６は、ステップＳＰ２に戻り、改めて位置情報の取得から処理を繰り返すのに対し、ユーザーにより確認が得られると、ステップＳＰ７からステップＳＰ８に移る。
【００２８】
ここで制御部６は、ステップＳＰ２で取得した現在位置情報と、ステップＳＰ５における一部領域の抽出結果との組み合わせにより鍵情報Ｄ１を生成する。ここで制御部６は、この鍵情報Ｄ１の生成に供した撮像結果による一部領域が、後述する認証処理の際にこの携帯端末２により同様にして取得される撮像結果による一部領域と同一の被写体をほぼ同一の方向より撮影したものか否か判定できるように、すなわちこれら一部領域に係る撮像結果の同一性を判定できるように、ステップＳＰ２で取得した現在位置情報と、ステップＳＰ５における一部領域の抽出結果との組み合わせにより生成される。
【００２９】
より具体的に、制御部６は、例えば指紋認証の手法を適用して、この撮像結果による一部領域から特徴点を検出し、この特徴点の座標情報と現在位置情報とによるデータ列を所定のビット単位で組み合わせた後、暗号化処理して鍵情報を形成する。なおこの場合に、例えばこの一部領域の画像データを符号化処理して現在位置情報と合成して鍵情報を形成する場合等、要は、一部領域に係る撮像結果の同一性を判定できるようにすれば良く、種々の手法を広く適用することができ、輪郭抽出結果の一部領域を使用する場合、又は輪郭抽出結果の一部領域に対応する撮像結果の一部領域に係る画像データを併せて利用することもでき、さらにはこの携帯端末２に固有の識別コード等を併せて利用することもできる。
【００３０】
このようにして鍵情報Ｄ１の生成を開始して、制御部６は、続くステップＳＰ９において、鍵情報Ｄ１を生成すると、続くステップＳＰ１０において、無線通信部１２の制御によりこの生成した鍵情報Ｄ１をホスト装置３に送信し、鍵情報Ｄ１の登録を要求する。またこの要求により続くステップＳＰ１１で、ホスト装置３で鍵情報Ｄ１が登録されると、この鍵情報Ｄ１の生成に供した現在位置情報をログ情報として記憶部７に記録した後、ステップＳＰ１２に移ってこの処理手順を終了する。
【００３１】
これらの処理により、この携帯端末２は、現在位置の位置情報とユーザーにより撮影された画像とにより鍵情報Ｄ１を生成して登録する。
【００３２】
このようにして鍵情報Ｄ１を登録した場合、制御部６は、ＧＰＳ部９の制御により現在位置情報を一定の時間間隔により取得して現在位置を監視する。またこの監視結果により、鍵情報Ｄ１の生成に供した場所を起点とした一定の範囲にこの携帯端末２が位置する場合、ＧＰＳ部９を介して取得される現在位置の位置情報を取得して時間情報と共に記憶部７に記録し、これによりログ情報を記憶部７に記録する。
【００３３】
またＧＰＳ部９より得られる位置情報により鍵情報Ｄ１を登録した場所を訪れると、鍵情報Ｄ１を生成してホスト装置３に開錠を要求する。図１は、この開錠の要求に係る制御部６の処理手順を示すフローチャートである。
【００３４】
制御部６は、ＧＰＳ部９より得られる位置情報を記憶部７に記録したログ情報により判定することにより、携帯端末２の現在位置が鍵情報Ｄ１を登録した位置となると、この処理手順を開始し、ステップＳＰ２１からステップＳＰ２２に移る。ここで制御部６は、記憶部７からログ情報を取得し、続くステップＳＰ２３において、このログ情報の判定により、鍵情報Ｄ１を登録した箇所を再び訪れた場合か否か判断する。これにより制御部６は、例えばこの入室管理システム１を自宅のドアの開閉に適用して、このドアの開錠について鍵情報Ｄ１を登録している場合、自宅に戻ってきた場合か否か判断する。
【００３５】
ここで否定結果が得られると、この場合、この鍵情報Ｄ１を登録した場所を出発する場合であることにより、制御部６は、ステップＳＰ２３からステップＳＰ２４に移り、この処理手順を終了する。これに対してステップＳＰ２３で肯定結果が得られると、制御部６は、ステップＳＰ２３からステップＳＰ２５に移る。
【００３６】
ここで制御部６は、この携帯端末２の電源を立ち上げ、さらにディジタルカメラ１０の動作を立ち上げる。また鍵情報の生成基準となる画像の取得を促すメッセージを表示部４に表示し、ユーザーによる操作部８の操作に応動してディジタルカメラ１０の動作を制御して静止画による撮像結果を取得する。
【００３７】
続いて制御部６は、ステップＳＰ２６に移り、画像処理部１１の制御により、ステップＳＰ２５で取得した静止画による撮像結果を輪郭抽出処理する。また続くステップＳＰ２７において、同様の画像処理部１１の制御により、輪郭抽出結果を形状認識処理し、撮像結果の輪郭抽出結果から鍵情報Ｄ１の生成に供する一部領域を抽出する。
【００３８】
制御部６は、続くステップＳＰ２８において、この抽出した一部領域を、確認を促すメッセージと共に表示部４に表示し、続くステップＳＰ２９において、ユーザーによる操作部８の操作を判定してユーザーにより確認が得られたか否か判断する。
【００３９】
ここでユーザーにより確認が得られない場合、制御部６は、ステップＳＰ２５に戻り、改めて処理を繰り返すのに対し、ユーザーにより確認が得られると、ステップＳＰ２９からステップＳＰ３０に移る。
【００４０】
ここで制御部６は、鍵情報Ｄ１の登録時に係るステップＳＰ８と同一の処理により鍵情報Ｄ１を生成し、続くステップＳＰ３１において、無線通信部１２の制御によりこの生成した鍵情報Ｄ１をホスト装置３に送信し、認証を要求する。またこの要求により続くステップＳＰ３２において、ホスト装置３で鍵情報Ｄ１が照合され、この照合結果によるホスト装置３からの通知により、ホスト装置３により確認が得られると、続くステップＳＰ３３において、ホスト装置３によりドアが開錠される。制御部６は、この開錠の通知により、ステップＳＰ３３からステップＳＰ２４に移ってこの処理手順を終了する。
【００４１】
これに対して鍵情報Ｄ１の照合結果によりホスト装置３から確認が得られない場合、この場合、例えば鍵情報Ｄ１の生成基準である静止画像をユーザーが間違えて取得した場合等が考えられることにより、ステップＳＰ３２からステップＳＰ２２に移り、一連の処理手順を改めて繰り返す。なおこの場合に、一定回数以上処理を繰り返して、ホスト装置３から確認を得られない場合、制御部６は、ステップＳＰ３２からステップＳＰ２４に移ってこの処理手順を終了する。
【００４２】
このような携帯端末２の構成に対応して、ホスト装置３は（図２）、携帯端末２からの鍵情報Ｄ１の登録要求により鍵情報Ｄ１を登録し、またこの登録した鍵情報Ｄ１により携帯端末２からの認証要求を処理して開錠の処理を実行する。
【００４３】
すなわちホスト装置３において、無線通信部２１は、携帯端末２の無線通信部１２に対応する構成であり、制御部２３の制御により、アンテナ２２を介して携帯端末２との間で種々のデータを送受する。
【００４４】
記憶部２４は、制御部２３の制御により、携帯端末２から登録要求のあった鍵情報Ｄ１のうち、登録を許可された鍵情報Ｄ１を記録して保持し、またこの保持した鍵情報Ｄ１を制御部２３に出力する。
【００４５】
開錠機構２５は、入室管理システム１の管理対象であるドアが閉じられると、このドアを施錠し、また制御部２３の制御によりこのドアを開錠する。
【００４６】
制御部２３は、演算処理手段であり、所定の処理プログラムの実行によりこのホスト装置３の動作を制御し、携帯端末２からの要求により鍵情報Ｄ１を記憶部２４に登録し、またこの登録した鍵情報Ｄ１により端末２からの認証要求を処理する。
【００４７】
すなわち制御部２３は、無線通信部２１を介して図３のステップＳＰ１１について上述した携帯端末２からの鍵情報Ｄ１の登録要求が入力されると、この鍵情報Ｄ１を記憶部２４に登録する。なおこの場合に、制御部２３は、図示しない表示部を介して登録の有無を確認するメッセージを表示し、このドアを管理するユーザーによる確認の操作により鍵情報Ｄ１を登録する。これにより制御部２３は、悪意をもった第３者による鍵情報Ｄ１の登録を防止する。またこのようにして鍵情報Ｄ１を登録すると、携帯端末２に登録を通知する。
【００４８】
これに対して無線通信部２１を介して、図１のステップＳＰ３２について上述した携帯端末２からの鍵情報Ｄ１の認証が求められると、記憶部２４に登録された鍵情報Ｄ１を検索し、この認証の求められた鍵情報Ｄ１が記憶部２４に登録されているものか否か判断する。これにより制御部２３は、事前の鍵情報Ｄ１の登録に係る撮像結果と、この認証に供する鍵情報Ｄ１に係る撮像結果とが、同一の被写体を同一の方向より撮影したものか否か判定する。ここで否定結果が得られると、制御部２３は、正しく認証できなかった旨、携帯端末２に通知する。これに対して認証の求められた鍵情報Ｄ１が記憶部２４に登録されているものの場合、正しく認証された旨、携帯端末２に応答を返し、その後、開錠機構２５の駆動により開錠の処理を実行する。
【００４９】
なおこの実施例において、これら携帯端末２及びホスト装置３の間における鍵情報Ｄ１の送受にあっては、事前の認証処理により設定した暗号化鍵を用いて暗号化して送受し、また記憶部２４における鍵情報Ｄ１の保持にあっても、同様に暗号化して保持するようになされ、これにより十分なセキュリティーを確保するようになされている。
【００５０】
（２）実施例の動作
以上の構成において、この入室管理システム１では、携帯端末２により生成された鍵情報Ｄ１がホスト装置３に登録され、この携帯端末２を携帯するユーザーがこのホスト装置３により管理されるドアより退出すると、ホスト装置３に設けられた開錠機構２５によりこのドアが施錠される。またこのユーザーがこのドアが設けられた箇所に戻ってきて、携帯端末２の操作により鍵情報Ｄ１を送出すると、ホスト装置３におけるこの鍵情報Ｄ１の照合により、開錠機構２５によりドアが開錠され、これによりこのドアからの入室が可能となる。
【００５１】
これら一連の制御において、この入室管理システム１では、ユーザーによる操作によりユーザーの所望する被写体の撮像結果が携帯端末２により取得され、この撮像結果とＧＰＳ部９により検出されるこのドアが設けられている位置情報とにより鍵情報Ｄ１が生成され、この鍵情報Ｄ１がホスト装置３に登録される。また携帯端末２側においては、このドアが設けられている位置情報がＧＰＳ部９により取得されて記憶部７に記録されて保持される。
【００５２】
このようにして登録した後において、携帯端末２では、ユーザーが携帯して変化する現在位置の位置情報がＧＰＳ部９により一定の時間間隔により検出され、この検出結果による位置情報のうち、ドアが設けられている箇所を中心とした一定範囲の位置情報が時間情報と共に記憶部７に記録される。これによりこの入室管理システム１では、携帯端末２においてユーザーの行動の履歴がログ情報として記憶部７に記憶される。
【００５３】
また携帯端末２では、このドアが設けられた箇所にユーザーが到着すると、ＧＰＳ部９による現在位置の位置情報により、制御部６でこの到着が検出され、記憶部７に記録されたログ情報との照合により、このドアより退室して戻って来た状況であることが検出されると、ディジタルカメラ１０が起動され、ユーザーにより所望する撮像結果が取得される。また登録時と同様にして、この撮像結果とＧＰＳ部９により検出されるこのドアが設けられている位置情報とにより鍵情報Ｄ１が生成され、この鍵情報Ｄ１がホスト装置３により照合される。
【００５４】
これによりこの実施例では、登録時にユーザーが撮影したと同一の被写体を同一の方向により撮影して初めてドアを開錠することができ、これにより指紋等の重要な個人情報を使用することなく、またこの携帯端末２が盗難等にあった場合にあっても、十分なセキュリティーを確保することができる。すなわちこのようにユーザーの所望する被写体の撮像結果により開錠する場合、ユーザーにおいては、第３者の知り得ない、ユーザー独自の被写体を設定することができ、これにより高いセキュリティーを確保することができる。またこのような開錠の基準である被写体にあっては、複数のユーザーにより共通化することにより、これら複数のユーザーで共通に開錠の処理を実行し得、これにより使い勝手を向上することができる。
【００５５】
また現在位置検出手段により検出される現在位置の位置情報との組み合わせにより、例えば複数のドアを１つのホスト装置により管理する場合に、各ドアをそれぞれ確実に管理することができる。
【００５６】
また携帯端末２においては、このようにして開錠の処理を実行する際に、位置情報の過去の記録から、外部からドアが設けられた場所への到着を検出した場合に、鍵情報を作成することにより、例えば自宅を出発して自宅まで帰ってきた場合にのみ開錠することができ、これによってもセキュリティー性の高い鍵システムを構築することができる。
【００５７】
またこのように外部からドアが設けられた場所への到着を検出した場合、携帯端末２では、撮像手段が自動的に起動され、これによりユーザーにおいては、煩雑な操作を簡略化することができる。
【００５８】
（３）実施例の効果
以上の構成によれば、位置情報により検出される管理対象への外部からの到来をトリガにして、現在位置の位置情報とユーザーの所望する被写体の撮像結果とにより鍵情報を生成してドアの開錠を要求し、この鍵情報を用いた照合により撮像結果と事前に登録した撮像結果とが一致した場合に開錠することにより、指紋等の重要な個人情報を使用することなく、十分なセキュリティーを確保することができる。
【００５９】
またこのときドアが設けられた場所への到着の検出により、撮像手段を起動することにより、ユーザーにおける煩雑な操作を簡略化して使い勝手を向上することができる。
【実施例２】
【００６０】
なお上述の実施例においては、携帯電話、ＰＤＡによる携帯端末によりホスト装置をアクセスする場合について述べたが、本発明はこれに限らず、携帯電話、ＰＤＡによる携帯端末に代えて専用の携帯端末によりシステムを構成するようにしてもよい。
【産業上の利用可能性】
【００６１】
本発明は、入室管理システム、携帯端末、ホスト装置及び入室管理方法に関し、例えば住宅の開錠の管理に適用することができる。
【図面の簡単な説明】
【００６２】
【図１】本発明の実施例に係る入室管理システムにおける携帯端末の動作の説明に供するフローチャートである。
【図２】本発明の実施例に係る入室管理システムを示すブロック図である。
【図３】図２の入室管理システムにおける登録時の処理手順を示すフローチャートである。
【符号の説明】
【００６３】
１……入室管理システム、２……携帯端末、３……ホスト装置、６、２３……制御部、７、２４……記憶部、９……ＧＰＳ部、１０……ディジタルカメラ、１１……画像処理部、１２、２１……無線通信部
【図１】
2006193884.tif 000003
【図２】
2006193884.tif 000004
【図３】
2006193884.tif 000005